(57)【要約】【課題】  砂や砂利等の高比重の粉粒体積載物の長距離大量輸送手段として、目的地に直接、若しくは、船舶、又は、鉄道貨車等を用いて輸送するための輸送用容器を、積載重量に叶う効率的な容量に設け、かつ、フオークリフト等で頻繁に荷役操作可能な強度と利便性を有する砂利輸送用コンテナーを提供することを目的とする。【解決手段】上部開放の所定容量の直方体容器形状に設けて上下ロック式の段積み可能な後部壁を傾斜排出可能な下部開閉式に設け、かつ、底部裏面中央部横断のフオークガイド付きコンテナーの荷役操作時の撓み強度を高めるため、該底板内面長手排出方向に断面が所定高さを有する単、叉は、複数の長尺鋼製成型突起リブを配して、若しくは、底板裏面に長尺の上下面が連通してフオークガイドを挟接する断続的連結角管補強手段を配して荷重撓み抑止可能な砂利輸送用コンテナーを形成することが出来る。【選択図】  図1
2016169012.tif 000002
【特許請求の範囲】
【請求項１】
道路、又は、鉄道、及び、海上輸送用の粉粒体状重量物（以下砂利、又は、砂とも言う）積載用のコンテナー（以下本体とも言う）に関するもので、該本体は、主に、鋼製の直方体形状の所定容量に形成されて、投入と排出、かつ、多段積載輸送可能に形成のため、左右の長手胴部間底部裏面に横断する２本のフオークリフト用差し込み穴（以下フオークガイドと言う）を配し、かつ、該本体内部底面（上面）の長手方向ほぼ全長に、単、若しくは、複数の、断面が所定の高さを有する鋼材（以下突起リブと言う）を装着して本体長手方向の撓み抑止を可能に形成された底板内突起リブ式砂利輸送用コンテナー。
【請求項２】
前記の断面が所定の高さを有する鋼材（以下突起リブと言う）が、断面が所定の高さを有する突起長尺成型型鋼、又は、垂直厚板（以下共通して突起リブと言う）である請求項１に記載の底板内突起リブ式砂利輸送用コンテナー。
【請求項３】
前記砂利輸送用コンテナー底部長手方向に、該底板裏面に配した前記２本のフオークガイドを介して断続的に連結する複数の長尺角管を一体形成のため、上部に前記底板を用い、下部に長手方向に連通する所定巾の鋼板（以下接地板と言う）を、主に、本体巾方向の中央、及び、両サイドに分割し、かつ、所定部分を拡幅成型して上下挟接可能に配し、かつ、該接地板と本体底板裏面間に生ずる空間部に、前記拡幅部を上方に折り曲げて縁端部を前記底板裏面及びフオークガイド側面に密接合して断続角管連結式の撓み抑止可能に形成された底板内突起リブ式砂利輸送用コンテナー。
【発明の詳細な説明】
【技術分野】
【０００１】
主に、砂利等の粉粒体状重量積載物の長距離輸送用コンテナーに関する。
【背景技術】
【０００２】
従来の砂、若しくは、砂利等の長距離大量輸送は産地掘削後、ダンプカー等で運ぶか、又は、海上輸送する場合には最寄り港に１次集荷し、かつ、バラ積み船等の専用船を用いて目的地に向かって陸揚げして再度ダンプカーで現場に搬送、若しくは、バージ船等で直接海中に投棄されていた。従って、年間、数十万トン、又は、数百万トン規模の遠距離輸送は至難であった。また、フレキシブルコンテナー等で運ぶことも現実的ではなく、かつ、通常の海上コンテナーで運ぶことはむしろコスト高となる為採用されていなかった。
【発明の概要】
【発明が解決しようとする課題】
【０００３】
本発明は上記課題に着目して案出されたもので、例えば、粉粒体状の砂利や砂等の高比重の重量積載物に対応可能なコンテナーを用いて長距離大量輸送を図ろうとするもので、ダンプカー等の専用特殊車両を用いずに、掘削現場で専用コンテナーを設けて積み込みと積み出しを容易にして大型トラック叉はシャーシー等で目的地に輸送可能に、若しくは、長距離輸送の場合、専用コンテナーを用いて最寄りの１次中継点に仮置き後、フェリーを含む貨物船等の船泊によって大量輸送して目的地港に荷揚げして、又は、鉄道手段を用いて荷役操作を容易に、かつ、横持ち移動可能に形成して低コストで搬送効率の良い大量砂利輸送システム構築可能なコンテナーの提供を目的とする。
【課題を解決発明するための手段】
【０００４】
本発明の第１および第２の発明は、請求項１および請求項２に示す通りであり、請求項１には、道路、又は、鉄道、及び、海上輸送用の粉粒体状重量物（以下砂利、又は、砂とも言う）積載用のコンテナー（以下本体とも言う）に関するもので、該本体は、主に、鋼製の直方体形状の所定容量に形成されて、投入と排出、かつ、多段積載輸送可能に形成のため、左右の長手胴部間底部裏面に横断する２本のフオークリフト用差し込み穴（以下フオークガイドと言う）を配し、かつ、該本体内部底面（上面）の長手方向ほぼ全長に、単、若しくは、複数の、断面が所定の高さを有する鋼材（以下突起リブと言う）を装着して本体長手方向の撓み抑止を可能に形成された底板内突起リブ式砂利輸送用コンテナーである。
また、請求項２は、前記の断面が所定の高さを有する鋼材（以下突起リブと言う）が、断面が所定の高さを有する突起長尺成型型鋼、又は、垂直厚板（以下共通して突起リブと言う）である請求項１に記載の底板内突起リブ式砂利輸送用コンテナーである。
本発明は請求項１および２の如く、上記課題を達成するため、例えば、砂利等の粉粒体状の高比重の重量積載物の長距離大量輸送可能な専用コンテナーを形成して、掘削現場での積み込みと荷出しを容易に設けて、一般貨物同様、近隣の場合は、ダンプカー等の専用特殊車両を用いずにシャーシー等で目的地に直接輸送、或いは、遠隔地の場合は、海上輸送、又は、鉄道車両を用いて長距離大量輸送を可能とするため、本コンテナーは、例えば、通常規格の上下嵌合ロック式の２０フィート海上コンテナーに準ずる構造の所定容量の高さに設け、かつ、天井部をオープンに設けて後方壁面から傾斜排出可能に形成して課題の解決を図ろうとするもので、かつ、本コンテナー構造は、積載物の比重が、例えば、１1.６乃至１.７を有する粉粒体状の砂利の場合のほぼ２０トン重量の積載物容積は１６立方メートル（以下リュ―べ叉はＭ３とも言う）となるため、この時対応の容器サイズを、ほぼ巾２４００ミリメートル、長さ６０００ミリメートル、高さ１５００ミリメートル大に設け、天井部をオープンとして長手後方胴部を下部回転開放排出方式とし、かつ、容器内部と底部に鋼板、又は、合板等の平面板を用いて積載物の排出性を良くし、かつ、側部及び底部外部に補強鋼を配し、かつ、底板を地上約２００ミリ高さに設けて中央付近下面の左右胴部を横断する２本のフオークガイドを設けた構造とする時、２０トン積載物持ち上げ時の長手方向前後両端、叉は、積載積み重ね時の中央底板の撓み荷重補強のため、容器内部底面排出方向に単、叉は、複数本の長尺の所定高の突起する鋼製の成型リブを配して長手方向の補強を施して下方撓み荷重に対する補強を図った底板リブ式砂利輸送コンテナーを形成する。
【０００５】
この様に形成された本発明のコンテナーは、砂利採掘生産現場に備えられた積み込み装置の上部に位置するホッパーの下に、大型トラック叉はシャーシー等に空コンテナーを搭載したまま発着可能に設けて、予め、半自動的に計量充填された所定量の砂利を、瞬時の操作で開口可能に積載して目的地に輸送することが出来、かつ、これをフオークリフト、叉は、クレーン等の荷役操作でコンテナー強度の心配なく最寄りの一次保管の中継基地に仮置きして、かつ、船泊、若しくは、鉄道車両に搭載して採掘現場で積載のコンテナーのままで一般貨物同様に目的基地に遠距離輸送後、これを積み替え輸送して目的現場で自力、若しくは、重機を用いて排出することが可能である。従がって、本発明の如き長手方向の補強を配した砂利輸送用コンテナーを用いることによって、今や、国内に於いても極く限られた地域で産出される良質の砂利の遠距離大量輸送が難なく可能となって巨大インフラ整備工事等に対する大きな社会貢献を可能とすることが出来る。なお、遠距離輸送排出後の空コンテナーは、これを鉄道、又は、船で後回収して、繰り返しの多数回使用可能に形成されている。
【０００６】
本発明の第３の発明は、前記砂利輸送用コンテナー底部長手方向に、該底板裏面に配した前記２本のフオークガイドを介して断続的に連結する複数の長尺角管を一体形成のため、上部に前記底板を用い、下部に長手方向に連通する所定巾の鋼板（以下接地板と言う）を、主に、本体巾方向の中央、及び、両サイドに分割し、かつ、所定部分を拡幅成型して上下挟接可能に配し、かつ、該接地板と本体底板裏面間に生ずる空間部に、前記拡幅部を上方に折り曲げて縁端部を前記底板裏面及びフオークガイド側面に密接合して断続角管連結式の撓み抑止可能に形成された請求項１記載の砂利輸送用コンテナーである。
本発明は、請求項３の如く、空時、又は、積載時積み重ね可能な、かつ、底部裏面に左右巾方向に横断するフオークガイドを配したコンテナーの長手方向の撓み抑止可能に形成のため、前記フオークガイドの上面に底板を用い、下面の長手方向に所定巾に分割の接地板を、主に、容器巾に対して中央部、及び、両サイドに分割配置して挟接し、かつ、この各接地板のフオークガイド部を除く部分を所定巾拡幅して、底板裏面との上方空間部に折り曲げ加工し、かつ、この縁端部をフオークガイド側面、及び、コンテナー本体裏面に閉塞可能に接合して上下面が連通する角管状に設けて本体底部長手方向の曲げ剛性強化可能に形成して積載時の荷役作業時、或いは、積み重ね時の撓み荷重の心配なくコンテナーを使用することが出来る。なお、前記接地板は本体裏面のフオークガイドの左右両サイドに２分割して配することも出来る。
【発明の効果】
【０００７】
本発明の、繰り返し使用可能な砂利運搬用コンテナーは、例えば１.７前後の高比重の砂や砂利の重量約２０トンに対応した積載効率の良い容器を、ほぼ１６立方メートル大の適正大に設けて、かつ、容器底板の内面長手方向ほぼ全長に突起する底板リブを配して、若しくは、底板裏面にフオークリフトガイドを跨ぐ角管を配して長手方向の撓み荷重の補強を図ってフオークリフト、及び、クレーン等の荷役操作可能な一般貨物扱い同様に設けて、シャーシー車、或いは、鉄道モーダルシフト、又は、船舶等に搭載可能に形成されて長距離大量輸送を可能にとし、M3単位当たりの輸送コストが極めて廉価で、かつ、道路規制等に制約されることなく長距離大量輸送が可能となるため、特に、年間、数十万、乃至、数百万立方メートルを要する巨大インフラ事業の資源調達手段としての社会貢献が期待できる。
【発明を実施するための最良の形態】
【０００８】
以下、本発明の形態を図1、及び、図２によって説明する。
【実施例１】
【０００９】
図1はこの発明を実施した、例えば、積載物の比重がほぼ１.，７レベルとなる砂利等の粉粒体状重量物（図示しない）の長距離大量輸送用の底部リブ式コンテナー１Aの図で、該コンテナー１Aは直方体の上部天井部Ａがオープンで左右側胴部２Aと前方側壁２B、及び、後方に下部半回転式開閉扉３を装着して傾斜排出可能に、かつ、底板４Ａは平面板を用いて、底板の長手排出方向に単、叉は、複数の、断面が所定の高さを有する長尺の鋼製成型の底板上に突起するリブ４A、若しくは、図示しないが、垂直の厚板等を配した事を特徴とし、かつ、本体の底部巾方向に横断するフオークガイド５を設けて形成され、該コンテナー１Ａは上下嵌合可能なロック６式に設けて単体で、若しくは、積み重ね可能に設けて定置保管、かつ、輸送可能に形成され、特に、砂利専用として底板突起リブ4Aを配したことによって、砂利積載時、フオークリフトで持ち上げた時のコンテナー長手方向両端の下方向への撓み、及び、同段重ねした時の、コンテナー中央部の撓み応力抑止可能に形成してコンテナーの構造強化を図ると同時に、底板構造の簡素化と容器の軽量化、か
つ、長期の繰り返し使用可能に設けて輸送コストダウン可能な砂利輸送用コンテナー１Aを形成することが出来る。なお、なお、図示しないが下部枠コーナー部にはロック６用の凹状嵌合部が設けられ、後部開閉扉３には開閉ロック１１が設けられてている。
【００１０】
この様に形成の本コンテナー１Aの構造は、例えば、通常の２０フィート海上コンテナーに準じてこれを所定高さで水平方向にカットした如き、天井部Ａをオープンにして上部枠７付きの形状に設け、かつ、積載物の比重が、例えば、１.７の粉粒体状の砂利の場合の２０トン重量の積載物容積はほぼ１６乃至１７Ｍ３となるため、容器サイズを、ほぼ巾
２４００ミリメートル、長さ６０００ミリメートル、高さ１４５０ミリメートルの適正効率大に設けた構造とし、本体内部の周囲側胴部２A，２Ｂの３面に鋼板、又は、合板、底板４に平滑面板を用いて積載物の排出性を良くし、かつ、外面に補強型鋼９を配し、かつ、底板４裏面中央付近に横断するフオークガイド５を設けて後部開閉扉３から傾斜排出可能に形成する時、通常底部裏面に配する縦横の補強鋼に代わって、本体底板４上に、単、又は、複数の長尺の鋼製成型突起リブ４Aを配して十分な耐撓み強度確保可能に設け、底面の接地用の補強厚板、或いは、補強鋼を大幅割愛可能に形成出来る。かつ、この様に形成のコンテナーの積載内面の底板に配された長尺の底板突起リブ４Aは、傾斜排出時に於いても、粘性の低い砂利の場合には何ら排出性が阻害される心配は無いと同時に、フオークガイド５を適正位置に配して荷役操作容易に形成できる。
【００１１】
従がって、この様に形成された本砂利輸送用コンテナー１Aはダンプカー等の専用特殊車両による道路輸送に代わって、例えば、掘削現場に、本空コンテナー搭載の大型トラック、又は、シャーシー等を発着可能に持ち込んで、予め、建設された積み出し装置のホッパー（図示しない）に半自動的に計量されて充填される砂利を瞬時の操作で積み込んで出荷容易に設け、かつ、これを目的地迄トラック輸送可能に、又は、海上長距離輸送の場合は、これを、産地最寄りの１次中継点に仮置き後、フェリー、或いは、貨物船等によって、若しくは、鉄道貨物輸送によって積載したコンテナーのまま、目的地近隣に大量輸送を行った後、一般の荷役操作で最終使用現場迄横持ちすることが可能な低コストで大量輸送可能な砂利輸送用システムを構築することが出来る。尚、本コンテナーは目的地へ輸送後、後回収して数百回の繰り返し使用が出来るため、Ｍ３単位当たりの輸送コストを大幅に低減させることが出来る。かつ、今や、建設用、或いは、建築用の砂や砂利は海外からの持ち込みが禁止されている上に、国内に於いての良質の砂や砂利は、極く限られた地域のみで産出される貴重な資源となっていて該資源の遠距離輸送が余儀なくされているため、本発明の砂利輸送用コンテナーを用いることによって問題の解決が図られ、かつ、大きな社会貢献を可能とすることが出来る。
【実施例２】
【００１２】
また、本発明は、図２に示す如く、上下ロック６式コンテナー１Bを、底板４の裏面の左右側胴部２A間に横断する２本のフオークガイド５を配して、かつ、この下面に所定巾の長手方向の中央接地板８Ａ、及び、両サイド接地板８Ｂを配して挟接し、かつ、この時生ずる底板4裏面と接地板８Ａ、８Ｂ上部のフオークガイド５部を除く空間部Bに、接地板８Ａ、８Ｂの巾を部分拡幅して上方に折り曲げ加工して縁端部を接合して長手方向に断続する連結角管４Bを配してフオークガイド５と一体構造に組み合わせ形成して底板剛性強化可能に形成することが出来る。なお、図示しないが前記接地板はこれを左右２分割に設けて配して形成することも出来ると同時に、底板4裏面に巾方向の厚板、若しくは、型鋼等の補強鋼を任意に講ずることが出来る。
【図面の簡単な説明】
【００１３】
【図１】本発明の内部底面長手方向に鋼製突起リブを配した上部投入、後部排出式の砂利輸送用コンテナーの一部切欠の斜視全体図。
【図２】本発明の底板裏面に断続する連結角管を配した事を示す砂利輸送用コンテナーの                                            前後方向に対する断面図。
【符号の説明】
【００１４】
1Ａ  底板リブ式砂利輸送用コンテナー
１Ｂ  底管式砂利輸送用コンテナー
２A  左右側胴部    
２B  前方側壁    
３    後部開閉扉  
４    底板
４Ａ  長手方向突起リブ    
４Ｂ  同連結角管        
５    フオークガイド 
６    嵌合上下ロック        
７    上部枠               
８    角管
８Ａ  中央接地板    
８Ｂ  両側接地板    
８a   部分拡幅部
９    補強型鋼    
１０  突っ張り    
１１  開閉扉ロック      
Ａ    オープンの天井部  
Ｂ    接地板と底板裏面との空間部
【図１】
2016169012.tif 000003
【図２】
2016169012.tif 000004